(57)【要約】      （修正有）【課題】ローター羽根が真空ポンプのチャンバーにおける堆積物に当たることがない長期間運転可能なローターを提供する。【解決手段】長期間運転可能なローター１０において、ローター本体２０と、複数のローター羽根３０と、を備え、複数のローター羽根は、ローター本体の周面に環設されており、その縦方向に複数のローター羽根層が分布されており、これらのローター羽根層は、少なくとも一つの第１のローター羽根層と、複数の第２のローター羽根層と、を有する。第１のローター羽根層の尾端は、第１の横方向距離で収容室１３０の側壁から離れ、第２のローター羽根層の尾端は、第２の横方向距離で収容室の側壁から離れ、第１の横方向距離は、第２の横方向距離より大きく、エア抜き効率を保持した状態で、ローター羽根層が、回転の過程中に、収容室の階段にある堆積物に接触して揺れることを防止可能である。【選択図】図１
0003233557.tif 000002
【実用新案登録請求の範囲】
【請求項１】
タービン分子式真空ポンプの収容室に組付けられており、前記タービン分子式真空ポンプの前記収容室に駆動装置が設けられている長期間運転可能なローターにおいて、
ローター本体と、複数のローター羽根と、を備え、
前記ローター本体は、前記タービン分子式真空ポンプの前記収容室に設けられており、前記駆動装置の回転軸に嵌り、
前記駆動装置は、前記ローター本体を回転するためのものであり、
前記複数のローター羽根は、前記ローター本体の周面に環設されており、その縦方向に複数のローター羽根層が分布されており、
これらの前記ローター羽根層は、少なくとも一つの第１のローター羽根層と、複数の第２のローター羽根層と、を有し、
前記第１のローター羽根層の尾端は、第１の横方向距離で前記収容室の側壁から離れ、
前記第２のローター羽根層の尾端は、第２の横方向距離で前記収容室の前記側壁から離れ、
前記第１の横方向距離は、前記第２の横方向距離より大きく、これにより、エア抜き効率を保持した状態で、前記第１のローター羽根層が前記収容室の階段にある堆積物に接触することを防止可能であることを特徴とする、
長期間運転可能なローター。
【請求項２】
前記タービン分子式真空ポンプは、更に、溝と、複数のステータ羽根と、を備え、前記溝は、前記タービン分子式真空ポンプの収容空間に設けられており、前記複数のステータ羽根は、複数の仕切板に環設されており、前記仕切板は、前記溝に順番に積み重ねられており、これにより、前記ステータ羽根の縦方向に、複数のステータ羽根層が分布されており、前記ステータ羽根層と前記ローター羽根層は、縦方向に沿って交互に配置されており、前記仕切板および前記溝は、共に前記収容室を囲み、前記階段は前記溝に位置することを特徴とする、請求項１に記載の長期間運転可能なローター。
【請求項３】
前記第１のローター羽根層は、前記ローター羽根層のうちの最も底層のローター羽根層であり、前記第１のローター羽根層の高さは、前記ステータ羽根層のうちの最も底層のステータ羽根層の高さより低く、前記第１のローター羽根層は、取り外し手順の後、前記第１のローター羽根層の尾端が、前記第１の横方向距離で前記収容室の前記側壁から離れることを特徴とする、請求項２に記載の長期間運転可能なローター。
【請求項４】
前記第１の横方向距離と前記第２の横方向距離の数値の差は、３０ｍｍより小さいことを特徴とする、請求項１に記載の長期間運転可能なローター。
【請求項５】
前記第１の横方向距離と前記第２の横方向距離の数値の差は、前記第１のローター羽根層に隣接する前記第２のローター羽根層のうちの一つの長さより小さく、又は同じであることを特徴とする、請求項１に記載の長期間運転可能なローター。
【請求項６】
前記第１のローター羽根層の長さは、前記第１のローター羽根層に隣接する前記第２のローター羽根層のうちの一つの長さより小さいことを特徴とする、請求項１に記載の長期間運転可能なローター。
【請求項７】
前記第１のローター羽根層の長さは、前記第１のローター羽根層に隣接する前記第２のローター羽根層のうちの一つの長さと同じであることを特徴とする、請求項１に記載の長期間運転可能なローター。
【請求項８】
前記第１の横方向距離は、第１の数値より大きく、前記第２の横方向距離は、前記第１の数値より小さく、又は同じであり、前記第１の数値は、０．５ｍｍ〜３ｍｍの範囲内にあることを特徴とする、請求項１に記載の長期間運転可能なローター。
【請求項９】
前記第１のローター羽根層は、前記ローター羽根層のうちの最も底層のローター羽根層であり、前記第１のローター羽根層の底端は、縦方向距離で前記収容室の前記階段の頂縁から離れ、前記縦方向距離は、第２の数値であり、前記第２の数値は、２ｍｍ〜４．５ｍｍの範囲内にあることを特徴とする、請求項１又は８に記載の長期間運転可能なローター。
【請求項１０】
前記第１のローター羽根層は、前記ローター羽根層のうちの最も底層のローター羽根層であり、前記第１のローター羽根層の底端は、縦方向距離で前記収容室の前記階段の頂縁から離れ、前記縦方向距離は、第２の数値より大きく、前記第２の数値は、２ｍｍ〜４．５ｍｍの範囲内にあることを特徴とする、請求項１又は８に記載の長期間運転可能なローター。
【考案の詳細な説明】
【技術分野】
【０００１】
本考案は、ローターに関し、特に、長期間運転可能なローターに関するものである。
【背景技術】
【０００２】
近年、半導体産業の活発な発展により、フロントエンド半導体プロセスにおける関連機器の需要が大幅に増加している。高真空システムの心臓部であるターボ分子真空ポンプは、大きな需要がある高真空システムのコンポーネントになっている。
従来のタービン分子式真空ポンプは、それと連結するローターを駆動して、エア抜きのプロセスを行う。気体分子は、ローター羽根に駆動されて、次の層のステータ羽根に進入する。気体分子は、ステータ羽根に当たって転向した後、次の層のローター羽根に進入する。タービン分子式真空ポンプの運転の原理は、高速に回転する傾斜な羽根により、システムにおける混乱に運動している気体分子を出口へ運動させて、多層のローター羽根とステータ羽根を交互に配列することにより、その圧縮比を向上することにある。このため、タービン分子式真空ポンプによれば、真空度が高く、排気効率が高く、油汚染がないなどの特性を有する。
しかし、タービン分子式真空ポンプの収容室は、少量の空間（例えば階段）を有し、特に、ここに粉塵などが堆積しやすい。このため、従来の半導体などのプロセスにおいて、機器を停止して堆積物を除去することが必要であり、そうしないと、ローター羽根は、堆積物に当たりやすいため、高速に回転する際に、揺れ現象が発生して、その他の羽根に衝突して粉々になるため、保全の周期が極めて短くなる。
【考案の概要】
【考案が解決しようとする課題】
【０００３】
本考案の主な目的は、ローター羽根が真空ポンプのチャンバーにおける堆積物に当たることがない長期間運転可能なローターを提供することにある。
【課題を解決するための手段】
【０００４】
本考案に係る長期間運転可能なローターは、タービン分子式真空ポンプの収容室に組付けられており、タービン分子式真空ポンプの収容室に駆動装置が設けられている長期間運転可能なローターにおいて、ローター本体と、複数のローター羽根と、を備え、ローター本体は、タービン分子式真空ポンプの収容室に設けられており、駆動装置の回転軸に嵌まり、駆動装置はローター本体を回転するためのものであり、複数のローター羽根は、ローター本体の周面に環設されており、その縦方向に複数のローター羽根層が分布されており、これらのローター羽根層は、少なくとも一つの第１のローター羽根層と、複数の第２のローター羽根層と、を有し、第１のローター羽根層の尾端は、第１の横方向距離で収容室の側壁から離れ、これらの第２のローター羽根層の尾端は、第２の横方向距離で収容室の側壁から離れ、第１の横方向距離は、第２の横方向距離より大きく、これにより、エア抜き効率を保持する状態で、第１のローター羽根層が収容室の階段にある堆積物に接触することを防止可能であり、第１の横方向距離と第２の横方向距離の数値の差は、第１のローター羽根層に隣接するこれらの第２のローター羽根層のうちの一つの長さより小さく、又は同じであり、第１のローター羽根層は、これらのローター羽根層のうちの最も底層のローター羽根層であり、第１のローター羽根層の底端は、縦方向距離で収容室の階段の頂縁から離れ、縦方向距離は、第２の数値より大きく、又は同じであり、第２の数値は、２ｍｍ〜４．５ｍｍの範囲内にあることを特徴とする。
【０００５】
本考案に係る長期間運転可能なローターは、タービン分子式真空ポンプは、更に、溝と、複数のステータ羽根と、を備え、溝は、タービン分子式真空ポンプの収容空間に設けられており、複数のステータ羽根は、複数の仕切板に環設されており、これらの仕切板は、溝に順番に積み重ねられており、これにより、これらのステータ羽根の縦方向に、複数のステータ羽根層が分布されており、これらのステータ羽根層とこれらのローター羽根層は、縦方向に沿って交互に配置されており、これらの仕切板および溝は、共に収容室を囲み、階段は溝に位置し、第１のローター羽根層の高さは、これらのステータ羽根層のうちの最も底層のステータ羽根層の高さより低く、第１のローター羽根層は、取り外し手順の後、第１のローター羽根層の尾端が、第１の横方向距離で収容室の側壁から離れることを特徴とする。
【０００６】
本考案に係る長期間運転可能なローターは、第１の横方向距離と第２の横方向距離の数値の差は、３０ｍｍより小さいことを特徴とする。
【０００７】
本考案に係る長期間運転可能なローターは、第１の横方向距離は、第１の数値より大きく、第２の横方向距離は、第１の数値より小さく、又は同じであり、第１の数値は、０．５ｍｍ〜３ｍｍの範囲内にあることを特徴とする。
【０００８】
本考案に係る長期間運転可能なローターは、タービン分子式真空ポンプの収容室に組付けられており、タービン分子式真空ポンプの収容室に駆動装置が設けられている長期間運転可能なローターにおいて、ローター本体と、複数のローター羽根と、を備え、ローター本体は、タービン分子式真空ポンプの収容室に設けられており、駆動装置の回転軸に嵌め、駆動装置は、ローター本体を回転するためのものであり、複数のローター羽根は、ローター本体の周面に環設されており、その縦方向に複数のローター羽根層が分布されており、これらのローター羽根層は、少なくとも一つの第１のローター羽根層と、複数の第２のローター羽根層と、を有し、第１のローター羽根層の尾端は、第１の横方向距離で収容室の側壁から離れ、これらの第２のローター羽根層の尾端は、第２の横方向距離で収容室の側壁から離れ、第１の横方向距離は、第２の横方向距離より大きく、これにより、エア抜き効率を保持した状態で、第１のローター羽根層が収容室の階段にある堆積物に接触することを防止可能であることを特徴とする。
【０００９】
本考案に係る長期間運転可能なローターは、タービン分子式真空ポンプは、更に、溝と、複数のステータ羽根と、を備え、溝は、タービン分子式真空ポンプの収容空間に設けられており、複数のステータ羽根は、複数の仕切板に環設されており、これらの仕切板は、溝に順番に積み重ねられており、これにより、これらのステータ羽根の縦方向に、複数のステータ羽根層が分布されており、これらのステータ羽根層とこれらのローター羽根層は、縦方向に沿って交互に配置されており、これらの仕切板および溝は、共に収容室を囲み、階段は溝に位置することを特徴とする。
【００１０】
本考案に係る長期間運転可能なローターは、第１のローター羽根層は、これらのローター羽根層のうちの最も底層のローター羽根層であり、第１のローター羽根層の高さは、これらのステータ羽根層のうちの最も底層のステータ羽根層の高さより低く、第１のローター羽根層は、取り外し手順の後、第１のローター羽根層の尾端が、第１の横方向距離で収容室の側壁から離れることを特徴とする。
【００１１】
本考案に係る長期間運転可能なローターは、第１の横方向距離と第２の横方向距離の数値の差は、３０ｍｍより小さいことを特徴とする。
【００１２】
本考案に係る長期間運転可能なローターは、第１の横方向距離と第２の横方向距離の数値の差は、第１のローター羽根層に隣接するこれらの第２のローター羽根層のうちの一つの長さより小さく、又は同じであることを特徴とする。
【００１３】
本考案に係る長期間運転可能なローターは、第１のローター羽根層の長さは、第１のローター羽根層に隣接するこれらの第２のローター羽根層のうちの一つの長さより小さいことを特徴とする。
【００１４】
本考案に係る長期間運転可能なローターは、第１のローター羽根層の長さは、第１のローター羽根層に隣接するこれらの第２のローター羽根層のうちの一つの長さと同じであることを特徴とする。
【００１５】
本考案に係る長期間運転可能なローターは、第１の横方向距離は、第１の数値より大きく、第２の横方向距離は、第１の数値より小さく、又は同じであり、第１の数値は、０．５ｍｍ〜３ｍｍの範囲内にあることを特徴とする。
【００１６】
本考案に係る長期間運転可能なローターは、第１のローター羽根層は、これらのローター羽根層のうちの最も底層のローター羽根層であり、第１のローター羽根層の底端は、縦方向距離で収容室の階段の頂縁から離れ、縦方向距離は、第２の数値であり、第２の数値は、２ｍｍ〜４．５ｍｍの範囲内にあることを特徴とする。
【００１７】
本考案に係る長期間運転可能なローターは、第１のローター羽根層は、これらのローター羽根層のうちの最も底層のローター羽根層であり、第１のローター羽根層の底端は、縦方向距離で収容室の階段段の頂縁から離れ、縦方向距離は、第２の数値より大きく、第２の数値は、２ｍｍ〜４．５ｍｍの範囲内にあることを特徴とする。
【考案の効果】
【００１８】
本考案に係る長期間運転可能なローターには、次のような効果がある。
最も底層のローター羽根層と収容室の側壁との間の第１の横方向距離だけを増加すると、エア抜き効率を保持した状態で、最も底層のローター羽根層が、回転の過程中に、収容室の階段上の堆積物に当たることを有効に防止することができる。一方、更に、ローター羽根層における最も底層のローター羽根層の底端と、収容室の階段の頂縁の縦方向距離を、上記の第２の数値より大きくすることにより、最も底層のローター羽根層が、回転の過程中に、収容室の階段上の堆積物に当たることを有効に防止することもできる。
また、最も底層のローター羽根層と収容室の側壁の横方向距離、及び最も底層のローター羽根層の底端と収容室の階段の頂縁の縦方向距離を増加することにより、最も底層のローター羽根層が、回転の過程中に、収容室の階段上の堆積物に当たって、他のローター羽根またはステータ羽根に衝突することを有効に防止することができる。したがって、保守の頻度を減少することができ、長期間運転することが可能となる。
【図面の簡単な説明】
【００１９】
【図１】本考案に係る長期間運転可能なローターおよびタービン分子式真空ポンプの組合せを示す断面図である。
【図２】本考案に係る長期間運転可能なローターを示す断面図である。
【図３】図１の一部を示す拡大図である。
【図４】本考案に係るローター羽根層の一部を示す外観図である。
【図５】本考案に係る溝を示す図である。
【図６】本考案に係る長期間運転可能なローターの別の実施の態様の一部を示す拡大図である。
【図７】本考案に係る長期間運転可能なローターの更に別の実施の態様の一部を示す拡大図である。
【考案を実施するための形態】
【００２０】
以下、本考案の実施の形態を図面に基づいて説明する。本考案の実施の形態の図面における各部材の比率は、説明を容易に理解するために示され、実際の比率ではない。また、図に示すアセンブリの寸法の比率は、各部品とその構造を説明するためのものであり、もちろん、本考案はこれに限定されない。一方、理解を便利にするために、下記の実施の形態における同じ部品については、同じ符号を付して説明する。
【００２１】
さらに、明細書全体および実用新案登録請求の範囲で使用される用語は、特に明記しない限り、通常、この分野、本明細書に開示される内容、および特別な内容で使用される各用語の通常の意味を有する。本考案を説明するために使用されるいくつかの用語は、当業者に本考案の説明に関する追加のガイダンスを提供するために、本明細書の以下または他の場所で説明される。
【００２２】
この記事での「第１」、「第２」、「第３」などの使用については、順序や順次を具体的に示すものではなく、本考案を制限するためにも使用されていない。これは、同じ専門用語で説明するコンポーネントまたは操作を区別するだけために使用される。
【００２３】
次に、この記事で「含む」、「備える」、「有する」、「含有する」などの用語が使用されている場合、それらはすべてオープンな用語である。つまり、これらは、含むがこれに限定されないことを意味する。
【００２４】
図１から図４を参照する。図１は、本考案に係る長期間運転可能なローター及びタービン分子式真空ポンプの組合せを示す断面図である。図２は、本考案に係る長期間運転可能なローターを示す断面図である。図３は、図１の一部を示す拡大図である。図４は、本考案に係るローター羽根層の一部を示す外観図である。
【００２５】
本考案に係る長期間運転可能なローター１０は、タービン分子式真空ポンプ１００の収容室１３０に組付けられている。タービン分子式真空ポンプ１００は、ポンプの一側にある吸気口を経由してプロセス室におけるプロセス気体を抜いて、ポンプの他側にある排気口からプロセス気体を排出する。プロセス気体は、例えばＨ２、Ａｒ、Ｎ２、ＳｂＦ４、ＳｂＦ３、ＳｂＦ５及び／又はＳｂ２Ｏ３であるが、これらに限定されない。タービン分子式真空ポンプ１００の収容室１３０に駆動装置１６０が設けられている。
駆動装置１６０は、例えば機械式、磁気浮上式または混合軸受式などの電気駆動の方式を採用するが、これらに限定されない。本考案に係る長期間運転可能なローター１０は、各種の結構を採用するタービン分子式真空ポンプ１００及びその駆動装置１６０に適用されることができる。タービン分子式真空ポンプ１００及びその駆動装置１６０の機構は本考案の重点ではないため、説明を省略した。
【００２６】
本考案に係る長期間運転可能なローター１０は、ローター本体２０と、ローター羽根３０と、を備える。ローター本体２０は、タービン分子式真空ポンプ１００の収容室１３０に設けられており、駆動装置１６０の回転軸１６２に嵌める。このため、駆動装置１６０の運転により、ローター本体２０を駆動して、ある回転数で回転することができる。
ローター羽根３０は、ローター本体２０の周面に環設されており、縦方向に沿ってローター羽根層３２が複数分布されている。ローター羽根層３２は、図２に示すように、少なくとも一つの第１のローター羽根層３２ａと、複数の第２のローター羽根層３２ｂと、を有する。Ｅｄｗａｒｄｓ  Ｐ０３３ローターを例にして説明すると、第２のローター羽根層３２ｂの数量は、例えば１０であるが、これに限定されない。
本考案に係る一実施の態様では、図３に示すように、第１のローター羽根層３２ａの尾端は、第１の横方向距離ｄ１で収容室１３０の側壁から離れ、第２のローター羽根層３２ｂの尾端は、第２の横方向距離ｄ２で収容室１３０の側壁から離れる。本考案に係る第１のローター羽根層３２ａは、横方向に沿って内へ収縮し、又は縦方向に沿って内へ収縮し、或いは、横方向および縦方向に沿って内へ収縮する。
【００２７】
横方向に沿って内へ収縮する場合を例にして説明すると、本考案では、例えば取外し方式を採用する。すなわち、一部または殆ど全部の第１のローター羽根層３２ａの本来の羽根の長さを取り外すことにより、上記の第１の横方向距離ｄ１は、実際に、第２の横方向距離ｄ２より大きく、又はローター羽根を作製する際に、上記の第１の横方向距離ｄ１を、実際に、第２の横方向距離ｄ２より大きくする。このため、本考案に係るタービン分子式真空ポンプ１００によれば、エア抜き効率を保持した状態で、ローター羽根３０が収容室１３０に発生した堆積物に当たることを防止可能であり、特に、第１のローター羽根層３２ａが収容室１３０の階段１１４上の堆積物に当たることを防止可能である。
第１の横方向距離ｄ１と第２の横方向距離ｄ２の数値の差は、およそ３０ｍｍより小さいことが好ましい。上記の数値の差は、第１のローター羽根層３２ａに隣接する第２のローター羽根層３２ｂの長さより小さくてもいいし、又は第２のローター羽根層３２ｂの長さと殆ど同じでもよい。第１のローター羽根層３２ａは、ローター羽根層３２のうちの何れか一つの層または複数の層でもよいが、ローター羽根層３２のうちの底層のローター羽根層であることが好ましく、最も底層のローター羽根層であることが更に好ましい。しかし、上記の数値の差は、例示にすぎず、第１の横方向距離と第２の横方向距離の数値の差は、第１のローター羽根層３２ａに隣接する第２のローター羽根層３２ｂのうちの一つの長さより小さく、又は同じであれば、全て本考案に適用することができる。
【００２８】
本考案に係るローター１０が適用されたタービン分子式真空ポンプ１００において、ローター１０の回転数は、およそ３２，５００ｒｐｍであるが、これに限定されない。もちろん、ローター１０の回転数は、およそ３２，５００ｒｐｍより小さくてもよい。本考案に係る構成によれば、ローター１０の保全の周期は、例えば１〜５か月の範囲内にある。すなわち、５か月ごとにローター１０を分解して、堆積した固体粒子や気体反応物などの堆積物を除去すれば良い。このため、保全の周期を延びることができる。すなわち、保守の頻度を減少することができ、長期間に運転することが可能となる。
本考案に係るローター１０の型番は、例えばＥｄｗａｒｄｓ  Ｐ０３３であり、タービン分子式真空ポンプ１００は、このような型番のローター１０を使用する、例えばＥｄｗａｒｄｓ  ＳＴＰ−Ｈ８０３又はＳＴＰ−Ｈ１３０３である。上記のローター１０の型番およびそれを使用するタービン分子式真空ポンプ１００は、例示にすぎず、本考案はこれに限定されない。
入口圧力（ｔｏｒｒ）と気体流量（Ｓｃｃｍ）とを計測すると、実際に、本考案に係るローターと従来のローターは、入口圧力が１×１０−５ｔｏｒｒ〜１ｔｏｒｒの範囲内にある気体流量（Ｓｃｃｍ）の数値の曲線が殆どオーバーラップする。このため、従来の技術に比べると、本考案は、エア抜き効率を保持した状態で、ローター羽根がタービン分子式真空ポンプの収容室における堆積物に当たることを有効に防止することができ、ひいては衝突または破裂などを防止することができる。上記の堆積物は、例えばプロセス気体に含有する固体粒子、又はプロセス気体の反応物であるが、これらに限定されない。
【００２９】
タービン分子式真空ポンプ１００は、更に、溝１１０と、複数のステータ羽根１２０と、を備える。溝１１０は、タービン分子式真空ポンプ１００の収容空間１０２に設けられている。溝１１０の内面には、導流溝１１２が設けられていることが好ましい（図５参照）。
ステータ羽根１２０は、複数の仕切板１２６に環設されている。仕切板１２６は、溝１１０の頂縁に順番に積み重ねている。これにより、ステータ羽根１２０は、縦方向に沿って分布して複数のステータ羽根層１２２を形成する。仕切板１２６及び溝１１０は、一緒に上記の収容室１３０を囲む。最も下層の仕切板１２６と溝１１０の頂縁のジャンクションには、階段１１４が形成されている。本考案によれば、ローター羽根３０が階段１１４上の固体粒子、又は気体反応物などの堆積物に当たることを有効に防止することができる。
【００３０】
本考案に係る長期間運転可能なローター１０は、仕切板１２６及び溝１１０に囲まれる収容室１３０に設けられており、且つローター本体２０が回転軸１６２に嵌める。例えば、ローター１０の一側は、内へ凹んで形成されるロックルームを有する。前記ロックルームの底側に穿孔が設けられている。駆動装置１６０の回転軸１６２の一端は、前記穿孔を挿通してローター１０の前記ロックルームに挿入して、ナットなどの固定部品により、前記ロックルームにおいて、ローター本体２０を回転軸１６２にロックする。
【００３１】
一方、ローター１０のローター羽根層３２とステータ羽根層１２２は、縦方向に沿って交錯するように設けられており、互いに接触しない。最も下層の羽根は、例えばローター羽根３０でもよい。ローター羽根３０とステータ羽根１２０との傾斜方向は、互いに反対である。それぞれのローター羽根３０の傾斜方向は同じであるが、その傾斜角度は、同じでもいいし、異なってもよい。それぞれのステータ羽根１２０の傾斜方向は同じであるが、その傾斜角度は、同じでもいいし、異なっていてもよい。
ローター羽根３０は、横方向に沿って運動し、傾斜角度を有するため、気体分子が、回転しているローター羽根３０に当たると、下へ移動して、この層のローター羽根層３２から離れて、次の層のステータ羽根層１２２の方向へ移動する。そして、ローター羽根３０とステータ羽根１２０との傾斜方向が互いに反対なため、気体分子が、下へ静止状態にあるステータ羽根１２０に当たると、この層のステータ羽根層１２２から離れる方向へ移動することにより、次の層のローター羽根層３２に当たる。これにより、気体分子を駆動して、逆の方向である上向きに移動するのではなく、層ごとに下に移動することができる。
【００３２】
本考案に係る一実施の態様では、図３に示すように、ローター１０のローター羽根層３２において、第１のローター羽根層３２ａの尾端と収容室１３０の側壁との間の第１の横方向距離ｄ１だけは、実際に、第１の数値より大きい。なお、ローター羽根層３２において、第２のローター羽根層３２ｂの尾端と収容室１３０の側壁との間の第２の横方向距離ｄ２は、実際に、上記の第１の数値より小さく、又は同じである。上記の第１の数値は、０．５ｍｍ〜３ｍｍの範囲内にある。これにより、本考案では、第１のローター羽根層３２ａと溝１１０との間に、当たり防止空間が形成されている。
第２のローター羽根層３２ｂの尾端と収容室１３０の側壁の第２の横方向距離ｄ２の数値は、実際に、同じであることが好ましいが、本考案はこれに限定されない。第２のローター羽根層３２ｂの尾端と収容室１３０の側壁との間の第２の横方向距離ｄ２の数値は、異なってもよい。比較すると、従来のローターの構成は、上から下へ、それぞれのローター羽根層の尾端と収容室の側壁の横方向距離は、実際に、同じである。すなわち、従来の最も底層のローター羽根層と収容室の側壁との間の横方向距離は、実際に、前の層のローター羽根層の尾端と収容室の側壁との間の横方向距離と同じである。このため、従来のローターの構成に比べると、本考案に係るローター１０は、実際に、エア抜き速度を保持することができ、ローター羽根３０がタービン分子式真空ポンプ１００の収容室１３０内にある堆積物に当たることを有効に防止することができる。特に、最も底層の第１のローター羽根層３２ａが収容室１３０の階段１１４上の堆積物に当たることを防止することができる。階段１１４は、最も底層のローター羽根層（第１のローター羽根層３２ａ）の尾端の位置に対応し、すなわち、仕切板１２６と溝１１０の頂縁のジャンクションに対応する。
【００３３】
本考案に係る一実施の態様では、第１のローター羽根層３２ａの本来の羽根は、例えば取外しプロセスにより、一部または殆ど全部の本来の羽根の長さを取り外す。第１のローター羽根層３２ａの取外された部分は、破線で示す。これにより、第１のローター羽根層３２ａの尾端と収容室１３０の側壁との間の第１の横方向距離ｄ１は、実際に、ローター羽根層３２における第２のローター羽根層３２ｂの尾端と収容室１３０の側壁との間の第２の横方向距離ｄ２より大きい。上記の取外しプロセスは、例えばのこぎりやハサミなどで切断してもいいが、これらに限定されない。このため、ローター羽根層３２における第１のローター羽根層３２ａの長さＬ１は、実際に、第１のローター羽根層３２ａに隣接する第２のローター羽根層３２ｂの長さＬ２（図４参照）より小さい。
或いは、本考案では、第１のローター羽根層３２ａの一部または殆ど全部の本来の羽根の長さを取り外さず、収容室１３０の側壁の第１のローター羽根層３２ａに対応する位置で、例えば外へ拡張する（すなわち、当該箇所での収容室１３０の側壁の断面積を大きくする。）。これにより、上記の第１の横方向距離ｄ１は、実際に、上記の第２の横方向距離ｄ２より大きく、且つローター羽根層３２における第１のローター羽根層３２ａの長さは、実際に、第１のローター羽根層３２ａに隣接するローター羽根層３２における第２のローター羽根層３２ｂの長さと同じである。
【００３４】
横方向に沿って内へ収縮すると共に、縦方向に沿って内へ収縮することを例に説明すると、本考案では、最も下層の羽根はローター羽根であることが好ましい。図３に示すように、第１のローター羽根層３２ａの高さは、ステータ羽根層１２２における最も底層のステータ羽根層の高さより低いことが好ましい。本考案に係る第１のローター羽根層３２ａの尾端と収容室１３０の側壁との間の第１の横方向距離ｄ１は、実際に、ローター羽根層３２における第２のローター羽根層３２ｂの尾端と収容室１３０の側壁との間の第２の横方向距離ｄ２より大きければ、最も下層の羽根、例えばローター羽根層３２における第１のローター羽根層３２ａ、の底端と収容室１３０の階段１１４の頂縁の縦方向距離ｈ１は、実際に、第２の数値と同じであり、第２の数値は、例えば２ｍｍ〜４．５ｍｍの範囲内にある。
或いは、ローター羽根層３２における第１のローター羽根層３２ａの底端と収容室１３０の階段１１４の頂縁の縦方向距離ｈ１は、実際に、上記の第２の数値より大きい。これにより、本考案によれば、第１のローター羽根層３２ａと溝１１０（収容室１３０の階段１１４）との間に、当たり防止空間を形成することができる。本考案では、例えば取外し方式を採用することにより、横方向に沿って内へ凹むと共に、縦方向に沿って内へ凹むことを達成する。しかし、本考案は、取外しプロセスを採用することに限定されない。本考案では、ローター羽根３０を作製する際に、第１のローター羽根層３２ａを、第２のローター羽根層３２ｂに対して、横方向に沿って内へ凹むと共に、縦方向に沿って内へ凹む状態にしてもよい。
【００３５】
しかし、本考案は、上記の例に限定されない。最も下層の羽根層は、上記のローター羽根層３２でもいいし、ステータ羽根層１２２でもよい。最も底層のローター羽根層３２またはステータ羽根層１２２と溝１１０（収容室１３０の階段１１４）との間に、当たり防止空間を形成することができれば、本考案に適用されることができる。
本考案に係る別の実施の態様では、図６に示すように、最も下層の羽根層はステータ羽根層１２２であり、且つこのステータ羽根層１２２と収容室１３０の階段１４４との間の頂縁の距離は縦方向距離ｈ２であり、縦方向距離ｈ２は、実際に、第２の数値より大きい。第２の数値は、例えば２ｍｍ〜４．５ｍｍの範囲内にある。
一方、本考案に係る更に別の実施の態様では、図７に示すように、上記の態様での第１のローター羽根層３２ａ及び最も下層のステータ羽根層１２２は、殆ど全部または大部分が取外され、ローター羽根層３２における第１のローター羽根層３２ａの長さは、実際に、例えば、第１のローター羽根層３２ａに隣接するローター羽根層３２における第２のローター羽根層３２ｂの長さより小さい。そして最も底層の第１のローター羽根層３２ａに隣接する第２のローター羽根層３２ｂと収容室１３０の階段１４４のとの間頂縁の距離は縦方向距離ｈ３であり、縦方向距離ｈ３は、実際に、第２の数値より大きい。第２の数値は、例えば２ｍｍ〜４．５ｍｍの範囲内にあるが、これに限定されない。この第２のローター羽根層３２ｂの尾端と収容室１３０の側壁との間の第２の横方向距離ｄ２は、実際に、その他のローター羽根層の尾端と収容室１３０の側壁との間の横方向距離ｄ２より大きく、又は同じである。
【００３６】
本考案に係る長期間運転可能なローターによれば、次のような効果がある。最も底層のローター羽根層と収容室の側壁との間の第１の横方向距離だけを増加すると、エア抜き効率を保持する状態で、ローター羽根層が、収容室の階段上の堆積物に当たることを有効に防止することができる。特に、最も底層のローター羽根層が収容室の階段上の堆積物に当たることを防止することができる。
また、更に、ローター羽根層における最も底層のローター羽根層の底端と、収容室の階段の頂縁の縦方向距離を、実際に、上記の第２の数値より大きくすることにより、ローター羽根層が収容室の階段上の堆積物に当たることを有効に防止することもできる。特に、最も底層の第１のローター羽根層が収容室の階段上の堆積物に当たることを防止することができる。加えて、最も底層のローター羽根層と収容室の側壁の横方向距離、及び最も底層のローター羽根層の底端と収容室の階段の頂縁の縦方向距離を増加することにより、最も底層のローター羽根層が、収容室の階段上の堆積物に当たって、他のローター羽根またはステータ羽根に衝突することを有効に防止することができる。特に、最も底層のローター羽根層が収容室の階段上の堆積物に当たることを防止することができる。したがって、保守の頻度を減少することができ、長期間運転することが可能となる。
【００３７】
以上の記述は例を挙げたものにすぎず、限定するものではない。本発明の精神及び範疇から逸脱しない、それに対して行ういかなる同等効果の修正又は変更も、添付の請求の範囲に含まれる。
【符号の説明】
【００３８】
１０  ローター
２０  ローター本体
３０  ローター羽根
３２  ローター羽根層
３２ａ  第１のローター羽根層
３２ｂ  第２のローター羽根層
１００  タービン分子式真空ポンプ
１０２  収容空間
１１０  溝
１１２  導流溝
１１４  階段
１２０  ステータ羽根
１２２  ステータ羽根層
１２６  仕切板
１３０  収容室
１６０  駆動装置
１６２  回転軸
ｄ１  第１の横方向距離
ｄ２  第２の横方向距離
ｈ１，ｈ２，ｈ３  縦方向距離
Ｌ１，Ｌ２  長さ
【図１】
0003233557.tif 000003
【図２】
0003233557.tif 000004
【図３】
0003233557.tif 000005
【図４】
0003233557.tif 000006
【図５】
0003233557.tif 000007
【図６】
0003233557.tif 000008
【図７】
0003233557.tif 000009